(57)【特許請求の範囲】
【請求項１】
停電対応機能を備えた水洗大便器装置であって、
汚物を受けるボウル部、このボウル部の底部から延びる排水トラップ管路、及び上記ボウル部の周囲を囲うスカート部を備えた水洗大便器本体と、
上記排水トラップ管路の下流側に配置され、上記スカート部の内側で、上記排水トラップ管路と排水配管とを接続する排水ソケットと、
この排水ソケットに設けられ、上記排水ソケットの流路を開閉するために、開位置と閉位置の間で移動される弁体と、
上記水洗大便器本体に設けられ、上記停電対応機能の使用時において、使用者が上記弁体を閉位置に移動させるために操作される弁体操作部と、
上記弁体が閉位置に移動されている状態で、上記ボウル部に洗浄水を流入させる給水装置と、
上記弁体操作部に対する操作に基づく力を伝達するために、上記弁体操作部から延びる第１ワイヤと、
上記弁体を移動させるために、上記排水ソケットから延びる第２ワイヤと、
上記第１ワイヤに加えられた力が上記第２ワイヤに伝達されるように、上記第１ワイヤと上記第２ワイヤを中継するように構成され、更に、上記スカート部に設けられた開口を介して上記水洗大便器本体の内部に収納可能に構成されている中継装置と、
を有し、
上記中継装置は、ケース部材と、このケース部材の内部に配置された方向転換機構と、を有し、上記第１ワイヤ及び上記第２ワイヤは上記ケース部材の一側に接続され、上記方向転換機構は、上記第１ワイヤ及び上記第２ワイヤを上記ケース部材の一側に接続できるように、上記第１ワイヤに加えられた力を方向転換して上記第２ワイヤに伝達することを特徴とする水洗大便器装置。
【請求項２】
上記水洗大便器本体の上記スカート部に設けられた開口は、上記水洗大便器本体の背面側に形成されている請求項１記載の水洗大便器装置。
【請求項３】
上記弁体操作部は、使用者により加えられた操作力を上記第１ワイヤに直接伝達するように構成されると共に、使用者の操作に基づいて自動的に上記給水装置を作動させるように構成されている請求項１又は２に記載の水洗大便器装置。
【請求項４】
上記排水ソケットは、上記第２ワイヤが所定の経路で取り回されるように、上記第２ワイヤを案内するワイヤガイドを有する請求項１乃至３の何れか１項に記載の水洗大便器装置。
【発明の詳細な説明】
【技術分野】
【０００１】
本発明は、水洗大便器装置に関し、特に、停電対応機能を備えた水洗大便器装置に関する。
【背景技術】
【０００２】
特開２０１３−２２７８５２号公報（特許文献１）には水洗大便器が記載されており、この水洗大便器には停電対応機能が備えられている。即ち、リム吐水やゼット吐水をコントローラにより電気的に制御するタイプの水洗大便器や、ポンプにより洗浄水を加圧してリム吐水やゼット吐水を行うタイプの水洗大便器においては、停電時には便器洗浄が実行できなくなるという問題がある。特許文献１記載の水洗大便器には停電対応機能が備えられており、停電時においても排水トラップ管路内でサイホン作用を発生させ、ボウル部内の汚物を洗浄水と共に排出できるようになっている。
【０００３】
特許文献１記載の水洗大便器においては、排水ソケットに、流路を開閉する開閉弁が備えられており、この開閉弁は、排水ソケットから延びるインナーワイヤを引くことにより、閉位置に移動されるように構成されている。停電時において使用者は、まず、インナーワイヤを引くことにより開閉弁を閉弁した状態で、水洗大便器のボウル部に洗浄水を供給する。排水ソケットの流路が閉鎖された状態でボウル部に洗浄水を供給することにより、ボウル部内の溜水の水位が上昇すると共に、ボウル部から延びる排水トラップ管路が満水にされる。この状態で使用者がインナーワイヤを引く力を緩めると、排水ソケットの開閉弁が開弁され、排水トラップ管路内でサイホン現象が発生する。これにより、ボウル部内の汚物及び洗浄水が排水トラップ管路に吸引され、排水配管に排出される。
【０００４】
また、この水洗大便器において、使用者がインナーワイヤを引くための把持部は、水洗大便器の後部のスカート部の内側に収納されている。停電時において、使用者は、水洗大便器後部のスカート部を形成する化粧カバーを取り外し、内部に収納されている把持部を取り出し、これを引くことにより開閉弁を開閉することができる。
【先行技術文献】
【特許文献】
【０００５】
【特許文献１】特開２０１３−２２７８５２号公報
【発明の概要】
【発明が解決しようとする課題】
【０００６】
特許文献１記載の水洗大便器をトイレ室に設置する場合には、まず、トイレ室の床面に施工された排水配管に排水ソケットを接続する。この排水ソケットからは、排水ソケットに設けられた開閉弁を操作するためのインナーワイヤが延びている。次に、水洗大便器本体をトイレ室内に搬入し、水洗大便器本体の排水トラップ管路の下流端が、床面に取り付けられている排水ソケットに接続されるように、水洗大便器本体を配置する。さらに、排水ソケットから延びているインナーワイヤの末端に設けられた把持部が、水洗大便器本体後部の所定の箇所に取り付けられる。最後に、水洗大便器本体後部に、スカート部の一部を構成する化粧カバーが取り付けられ、取り付けた把持部や、水洗大便器本体の機能部が覆われる。使用者が停電対応機能を使用する場合には、化粧カバーを取り外し、水洗大便器本体の後部に保持されている把持部を操作して排水ソケットの開閉弁を開閉させる。
【０００７】
しかしながら、意匠性の高い優れた外観の水洗大便器を提供するために、ボウル部を取り囲むスカート部を、水洗大便器本体の後部まで一体的に形成したいという要求がある。このように、一体的に形成されたスカート部により水洗大便器本体後部の機能部が覆われたデザインが採用された場合、排水ソケットから延びるワイヤ末端の操作部を、機能部の適所に取り付けることが困難となる。即ち、予め床面に取り付けられている排水ソケットから延びるワイヤの末端の操作部を、排水ソケットを覆うように配置される水洗大便器本体側に取り付ける場合、水洗大便器本体後部の機能部がスカート部により覆われていると、取り付け作業が困難になるという問題がある。
従って、本発明は、意匠性の高い、設置作業が容易な、停電対応機能を備えた水洗大便器装置を提供することを目的としている。
【課題を解決するための手段】
【０００８】
上述した課題を解決するために、本発明は、停電対応機能を備えた水洗大便器装置であって、汚物を受けるボウル部、このボウル部の底部から延びる排水トラップ管路、及びボウル部の周囲を囲うスカート部を備えた水洗大便器本体と、排水トラップ管路の下流側に配置され、スカート部の内側で、排水トラップ管路と排水配管とを接続する排水ソケットと、この排水ソケットに設けられ、排水ソケットの流路を開閉するために、開位置と閉位置の間で移動される弁体と、水洗大便器本体に設けられ、停電対応機能の使用時において、使用者が弁体を閉位置に移動させるために操作される弁体操作部と、弁体が閉位置に移動されている状態で、ボウル部に洗浄水を流入させる給水装置と、弁体操作部に対する操作に基づく力を伝達するために、弁体操作部から延びる第１ワイヤと、弁体を移動させるために、排水ソケットから延びる第２ワイヤと、第１ワイヤに加えられた力が第２ワイヤに伝達されるように、第１ワイヤと第２ワイヤを中継するように構成され、更に、スカート部に設けられた開口を介して水洗大便器本体の内部に収納可能に構成されている中継装置と、を有し、中継装置は、ケース部材と、このケース部材の内部に配置された方向転換機構と、を有し、第１ワイヤ及び第２ワイヤはケース部材の一側に接続され、方向転換機構は、第１ワイヤ及び第２ワイヤをケース部材の一側に接続できるように、第１ワイヤに加えられた力を方向転換して上記第２ワイヤに伝達することを特徴としている。
【０００９】
このように構成された本発明においては、停電対応機能の使用時において、使用者は弁体操作部を操作して、排水ソケットの流路を開閉する弁体を「閉位置」に移動させる。給水装置は、弁体が「閉位置」に移動されている状態で、ボウル部に洗浄水を流入させる。次いで、ボウル部内に所定量の洗浄水が溜まった状態で弁体を「開位置」に移動させることにより、ボウル部内の溜水及び汚物が、排水トラップ管路を介して排水配管に排出される。弁体操作部に対する操作に基づく力を伝達する弁体操作部から延びる第１ワイヤと、排水ソケットから延びる第２ワイヤは中継装置によって中継され、この中継装置は、スカート部に設けられた開口を介して水洗大便器本体の内部に収納可能に構成されている。
【００１０】
停電時に排水ソケットに設けられた弁体を開閉することができる水洗大便器装置を構成するには、水洗大便器本体側に設けられた弁体操作部から、排水ソケット側に設けられた弁体へ、ワイヤを介して力を伝達する必要がある。水洗大便器装置を設置する際は、まず、排水ソケットを排水配管に接続しておき、その後、設置された排水ソケットと排水トラップ管路が接続されるように水洗大便器本体が配置される。このため、設置現場において、排水ソケット及び水洗大便器本体が配置された後、水洗大便器本体側に設けられた弁体操作部から排水ソケット側に設けられた弁体に力が伝達されるようにワイヤを取り付ける必要がある。しかしながら、排水ソケットは水洗大便器本体の内側に位置しているため、ワイヤを取り付けるためには、ワイヤ取り付け作業を行うための大きな開口を水洗大便器本体に設ける必要があった。
【００１１】
上記のように構成された本発明によれば、水洗大便器本体側から延びる第１ワイヤと、排水ソケットから延びる第２ワイヤが中継装置によって中継され、この中継装置は、スカート部に設けられた開口を介して水洗大便器本体の内部に収納可能に構成されている。このため、施工時においては、第１ワイヤと第２ワイヤを、スカート部の外側で中継装置を介して中継し、その後、中継装置をスカート部の開口を介して水洗大便器本体の内部に収納すればよい。従って、スカート部の開口は、中継装置を収納可能な大きさであれば良く、水洗大便器本体に大きな開口を設けることなく、水洗大便器本体側から排水ソケット側へワイヤを接続することができる。これにより、作業用の開口部が少ない、意匠性に優れた水洗大便器装置を構成することが可能になる。
【００１３】
また、上記のように構成された本発明によれば、第１ワイヤ及び第２ワイヤがケース部材の一側に接続されるので、第１、第２ワイヤの取り回しが容易であり、スカート部の開口を小さく形成した場合でも、第１、第２ワイヤが接続された中継装置を水洗大便器本体内に収納することが可能になる。これにより、より意匠性の優れた水洗大便器装置を提供することが可能になる。
【００１４】
本発明において、好ましくは、水洗大便器本体のスカート部に設けられた開口は、水洗大便器本体の背面側に形成されている。
このように構成された本発明によれば、水洗大便器本体背面側の目立たない位置に開口が形成されるので、より意匠性を高めることができる。また、本発明によれば、第１、第２ワイヤを容易に接続することができるので、開口が背面側であっても作業性が損なわれることがない。
【００１５】
本発明において、好ましくは、弁体操作部は、使用者により加えられた操作力を第１ワイヤに直接伝達するように構成されると共に、使用者の操作に基づいて自動的に給水装置を作動させるように構成されている。
【００１６】
このように構成された本発明によれば、使用者により加えられた操作力が第１ワイヤに直接伝達されるので、簡単な機構で弁体を移動させることができる。また、使用者の操作に基づいて自動的に給水装置が作動されるので、停電時において、使用者は簡単な操作で便器洗浄を行うことができる。
【００１７】
本発明において、好ましくは、排水ソケットは、第２ワイヤが所定の経路で取り回されるように、第２ワイヤを案内するワイヤガイドを有する。
このように構成された本発明によれば、ワイヤガイドにより第２ワイヤが所定の経路で取り回されるので、第２ワイヤにキンクが発生するのを抑制することができる。
【発明の効果】
【００１８】
本発明によれば、意匠性の高い、設置作業が容易な、停電対応機能を備えた水洗大便器装置を提供することができる。
【図面の簡単な説明】
【００１９】
【図１】本発明の実施形態による水洗大便器装置全体を示す斜視図である。
【図２】本発明の実施形態による水洗大便器装置の前後方向の全断面図である。
【図３】本発明の実施形態による水洗大便器装置を斜め後方から見た斜視図である。
【図４】本発明の実施形態による水洗大便器装置において、停電対応機能に関与する部分を取り出して示した斜視図である。
【図５】本発明の実施形態による水洗大便器装置に備えられている排水ソケットの断面図である。
【図６】本発明の実施形態による水洗大便器装置に備えられている弁体の移動機構を説明するための図である。
【図７】本発明の実施形態による水洗大便器装置において、排水ソケットの弁体を操作するワイヤを中継するための中継装置を示す図である。
【発明を実施するための形態】
【００２０】
次に、添付図面を参照して、本発明の実施形態の水洗大便器装置を説明する。
図１は、本発明の実施形態による水洗大便器装置全体を示す斜視図であり、便蓋及び便座を上方位置まで回動させた状態を示している。図２は、本実施形態の水洗大便器装置の前後方向の全断面図であり、便蓋及び便座を取り外した状態を示している。
【００２１】
図１に示すように、本発明の実施形態による水洗大便器装置１は、陶器製の水洗大便器本体２と、この水洗大便器本体２の上面に上下方向に回動可能に配置された便座４と、この便座４を覆うように上下方向に回動可能に配置された便蓋６と、水洗大便器本体２の後方に配置された機能部８とを備えている。また、機能部８には、使用者の局部を洗浄する衛生洗浄装置（図示せず）と、水洗大便器本体２への給水機能に関与する給水系機能部１２（図２）が内蔵されている。
【００２２】
また、水洗大便器本体２にはボウル部２０が形成されていると共に、このボウル部２０の周囲を囲うようにスカート部１０が形成されている。本実施形態においては、スカート部１０は、水洗大便器本体２の全周を取り囲む外周壁面として、一体に形成されている。また、ボウル部２０は、ボウル形状の汚物受け面１４と、この汚物受け面１４の上縁の棚面１６から立ち上がるように形成されたリム部１８とを備えている。
【００２３】
さらに、図２に示すように、水洗大便器本体２には、ボウル部２０の底部に設けられた入口開口２２ａから延びる排水トラップ管路２２が形成されている。この排水トラップ管路２２は、入口開口２２ａから後方斜め上方に向かって延びる上昇管路２２ｂ、この上昇管路２２ｂの下流端に設けられ、ボウル部２０の溜水面Ｌの高さを規定する屈曲部２２ｃ、及びこの屈曲部２２ｃから下方に向かって延びる下降管路２２ｄから構成されている。即ち、ボウル部２０の溜水面Ｌの高さは、排水トラップ管路２２の底面が最も高い位置にある屈曲部２２ｃにより規定される。
【００２４】
また、図２に示すように、水洗大便器本体２側面のリム部１８の内部には、リム通水路２４が形成されている。このリム通水路２４の下流端には、リム吐水部の一部であるリム吐水口２６が形成されている。さらに、リム通水路２４の上流側は、給水装置である電磁弁２８を介して洗浄水源である水道（図示せず）に接続されている。ボウル部２０の通常洗浄時においては、給水系機能部１２に内蔵されたコントローラ（図示せず）が電磁弁２８に信号を送り、これを開弁させる。電磁弁２８が開弁されると、水道の給水圧力により洗浄水がリム吐水口２６まで導かれるようになっている。リム通水路２４内に供給された洗浄水は、リム通水路２４内で水洗大便器本体２の前方側へ導かれ、その後、後方側に折り返し、リム吐水口２６から後方に向けて吐出（リム吐水）されるようになっている。
リム吐水口２６から吐出された洗浄水は、リム吐水口２６に連なるように形成された通水路を経て棚面１６に導かれ、ボウル部２０内を旋回することにより汚物受け面１４を洗浄するようになっている。
【００２５】
さらに、図２に示すように、ボウル部２０の底部には、ゼット吐水口３２が形成されており、このゼット吐水口３２は、排水トラップ管路２２の入口開口２２ａに向けてジェット噴流が吐出されるように、入口開口２２ａに対向するように配置されている。また、水洗大便器本体２には、水洗大便器本体２に洗浄水を流入させる導水路流入部（図示せず）から、ボウル部２０の底部に設けられたゼット吐水口３２まで延びるゼット導水路（図示せず）が形成されている。
【００２６】
さらに、図２に示すように、水洗大便器本体２の後部には、給水系機能部１２として、貯水タンク３４、及び加圧ポンプ３６が設けられている。加圧ポンプ３６は、通常の便器洗浄時において、貯水タンク３４内に貯留されている洗浄水を加圧して、水洗大便器本体２の導水路流入部（図示せず）に流入させるように構成されている。これにより、加圧ポンプ３６が作動されると、貯水タンク３４に貯水されていた洗浄水は、加圧ポンプ３６によって加圧され、ゼット導水路（図示せず）を通ってゼット吐水口３２から吐出される。
【００２７】
また、ゼット吐水口３２から吐出された洗浄水は、ボウル部２０内に貯留されていた溜水を巻き込みながら、ゼット吐水口３２に対向して設けられた排水トラップ管路２２の入口開口２２ａに流入する。入口開口２２ａに流入した洗浄水は、上昇管路２２ｂ内を上昇して屈曲部２２ｃ内を満水とし、サイホン作用を誘発する。サイホン作用が発生すると、ボウル部２０内の溜水及び汚物が入口開口２２ａを通って上昇管路２２ｂ内に吸引され、屈曲部２２ｃを越えて下降管路２２ｄから排出される。このように、加圧ポンプ３６を使用してゼット吐水口３２から洗浄水を噴射させることにより、早期に排水トラップ管路２２内を満水にすることが可能になり、早期にサイホン作用を起動させることができる。
【００２８】
なお、本実施形態においては、貯水タンク３４内の洗浄水を加圧ポンプ３６を使用してゼット導水路（図示せず）に流入させているが、水道の給水圧力を利用して洗浄水を流入させる水道直圧式等の水洗便器に本発明を適用することもできる。
【００２９】
さらに、図２に示すように、水洗大便器装置１には、排水ソケット３８が備えられている。この排水ソケット３８は、排水トラップ管路２２の下流側に配置され、スカート部１０の内側で、排水トラップ管路２２と、床面Ｆから立ち上げられている排水配管４０とを接続している。また、排水ソケット３８には弁体４２が設けられており、この弁体４２は、排水ソケット３８の流路を開閉するために、開位置（図５）と閉位置（図２）の間で移動可能に構成されている。また、弁体４２は、水洗大便器装置１の通常使用時においては、常に開位置にされており、停電対応機能の使用時において、使用者の操作により閉位置に移動される。
【００３０】
なお、本明細書において、弁体４２の「閉位置」とは、必ずしも排水ソケット３８の流路が完全に閉塞された状態を意味するものではなく、排水ソケット３８の流路断面積が「開位置」よりも狭くされた状態を含むものである。また、本実施形態においては、弁体４２が「閉位置」にある状態でも、排水ソケット３８の流路は完全に閉塞されず、小流量の洗浄水が排水ソケット３８を通過できるようになっている。排水ソケット３８及び弁体４２の詳細については後述する。
【００３１】
次に、図３乃至図７を参照して、水洗大便器装置１の停電対応機能を説明する。
図３は本実施形態の水洗大便器装置を斜め後方から見た斜視図であり、背面のカバー等（図示せず）を取り外した状態を示している。図４は、本実施形態の水洗大便器装置において、停電対応機能に関与する部分を取り出して示した斜視図である。図５は、本実施形態の水洗大便器装置に備えられている排水ソケットの断面図である。図６は、排水ソケットに内蔵されている弁体の移動機構を説明するための図である。図７は、本実施形態の水洗大便器装置において、排水ソケットの弁体を操作するワイヤを中継するための中継装置を示す図である。
【００３２】
図３及び図４に示すように、停電対応機能に関与する停電対応機能部は、ワイヤユニット４４と、ワイヤユニット４４に取り付けられるスイッチユニット４６と、ワイヤユニット４４から延びる第１ワイヤ４８と、第１ワイヤ４８が接続される中継装置５０と、中継装置５０から排水ソケット３８まで延びる第２ワイヤ５２と、弁体４２を内蔵した排水ソケット３８からなる。
【００３３】
図３に示すように、ワイヤユニット４４は、箱形のワイヤユニット本体４４ａと、リング状の把持部４４ｂから構成され、水洗大便器本体２後部の、スカート部１０の内側に配置されている。また、ワイヤユニット本体４４ａの下端には第１ワイヤ４８の一方の端部が取り付けられている。停電対応時には、使用者は、スカート部１０の背面上部開口１０ａを覆っている化粧カバー（図示せず）を取り外してワイヤユニット４４を露出させ、把持部４４ｂを操作する。さらに、スカート部１０の背面は、背面下部開口１０ｂが形成されるように、下端部が切り欠かれている。後述するように、施工時においては背面下部開口１０ｂを介して中継装置５０がスカート部１０の内側に収納され、背面下部開口１０ｂは中継装置５０の収納が可能な寸法形状に形成されている。また、施工後は、背面下部開口１０ｂは化粧カバー（図示せず）によって閉鎖される。
【００３４】
図４に示すように、第１ワイヤ４８は、管状の第１アウターチューブ４８ａと、この第１アウターチューブ４８ａの中を通っている可撓性の第１インナーワイヤ４８ｂから構成されている。第１アウターチューブ４８ａの一方の端部は、ワイヤユニット本体４４ａの下端面に接続される一方、第１インナーワイヤ４８ｂの端部はワイヤユニット本体４４を貫通して延び、先端が把持部４４ｂに固定されている。
【００３５】
図４に示すように、スイッチユニット４６は、ワイヤユニット本体４４ａを囲むように取り付けられたコの字型の部材であり、ワイヤユニット４４と共に弁体操作部を構成している。また、スイッチユニット４６の側面には電気コネクタ４６ａが設けられており、この電気コネクタ４６ａには接続コード（図示せず）が接続される。この接続コード（図示せず）は、給水系機能部１２に内蔵された電磁弁２８（図２）に接続されており、停電対応時において、使用者が第１インナーワイヤ４８ｂを所定量引き出すと、内蔵バッテリ（図示せず）により電磁弁２８が開弁されるように構成されている。
【００３６】
次に、第１ワイヤ４８の他方の端部には、中継装置５０が取り付けられている。さらに、中継装置５０には第２ワイヤ５２の一方の端部が接続されており、この第２ワイヤ５２の他方の端部は排水ソケット３８に接続されている。第２ワイヤ５２は、第１ワイヤ４８と同様の構造を有し、管状の第２アウターチューブ５２ａと、この第２アウターチューブ５２ａの中を通っている可撓性の第２インナーワイヤ５２ｂ（図６）から構成されている。
【００３７】
中継装置５０は、第１ワイヤ４８及び第２ワイヤ５２が接続される箱形の装置であり、第１、第２ワイヤは、その一側である一つの側面に接続されている。中継装置５０は、第１ワイヤ４８と第２ワイヤ５２を中継するように構成され、第１ワイヤ４８に加えられた力が第２ワイヤ５２に伝達されるようになっている。即ち、使用者が把持部４４ｂを引き、第１ワイヤ４８の第１インナーワイヤ４８ｂが引き出されると、これに連動して第２ワイヤ５２の第２インナーワイヤ５２ｂも引かれるようになっている。なお、中継装置５０の内部構造については後述する。
【００３８】
また、水洗大便器装置１の工場出荷時においては、水洗大便器本体２側には、弁体操作部（ワイヤユニット４４及びスイッチユニット４６）及び第１ワイヤ４８が取り付けられており、一方、排水ソケット３８側には、第２ワイヤ５２及び中継装置５０が取り付けられている。このような状態で出荷された水洗大便器装置１は、水洗大便器を設置する現場において、第１ワイヤ４８の先端が中継装置５０に接続され、第１ワイヤ４８に対する操作が第２ワイヤ５２に伝達できるようになる。水洗大便器装置１の具体的な設置手順については後述する。
【００３９】
次に、図５及び図６を参照して、排水ソケット３８の構成を説明する。
図５に示すように、排水ソケット３８は、排水ソケット本体５４と、この排水ソケット本体５４の上端に取り付けられたパッキン５６と、排水ソケット本体５４内部の通路を開閉する弁体４２と、を有する。
排水ソケット本体５４の下端にはベース部５４ａが設けられ、このベース部５４ａは、水洗大便器装置１を設置する床面Ｆ上に配置される。また、排水ソケット本体５４の内部には、ベース部５４ａの底面から上端まで延びる湾曲した流路５４ｂが形成されている。即ち、流路５４ｂは、排水ソケット本体５４上端の流入部５４ｃから底面の流出部５４ｄまで延びている。
【００４０】
排水ソケット本体５４の流入部５４ｃには、環状のパッキン５６が取り付けられている。パッキン５６はゴム製であり、水洗大便器本体２に設けられた排水トラップ管路２２の下流端を流入部５４ｃに挿入すると、パッキン５６により、排水トラップ管路２２と排水ソケット本体５４が水密的に接続される。一方、排水ソケット本体５４の流出部５４ｄは、床面Ｆに設けられた排水配管４０に挿入され、パッキン（図示せず）を介して排水配管４０に水密的に接続されている。
【００４１】
さらに、流路５４ｂの中間部には弁体４２が設けられており、この弁体４２は、「開位置」（図５の状態）と「閉位置」（図２の状態）の間で回動可能に取り付けられている。具体的には、弁体４２は、中央部が上方に向けて盛り上がった板状の部材であり、その一端部には回転軸４２ａが設けられている。弁体４２は、流路５４ｂ内で回転軸４２ａを中心に回動可能に取り付けられている。弁体４２が概ね水平方向に向けられた「閉位置」では流路５４ｂが概ね閉鎖されて流路断面積が狭くなり、弁体４２が概ね鉛直下方に向けられた「開位置」では流路５４ｂが開かれ、流路断面積が広くなる。このように、弁体４２が流路５４ｂ内で回動することにより、フラッパ弁が形成される。
【００４２】
次に、図６を参照して、弁体４２を開閉するための開閉機構を説明する。なお、図６においては、開閉機構が露出されるように、排水ソケット３８から一部のカバーが取り外されている。
図６に示すように、排水ソケット３８には、開閉機構として、摺動溝５８と、この摺動溝５８に沿って摺動するスライダ６０と、このスライダ６０を付勢するコイルばね６２と、スライダ６０と弁体４２の回転軸４２ａを連結するアーム６４が設けられている。
【００４３】
摺動溝５８は、排水ソケット本体５４の外側に設けられた直線状の溝であり、床面Ｆに対して傾斜して形成されている。摺動溝５８の中にはスライダ６０が摺動可能に配置されており、スライダ６０は、摺動溝５８の中に配置された付勢部材であるコイルばね６２により斜め下方に向けて付勢されている。
さらに、スライダ６０にはアーム６４の一端が連結されており、アーム６４の他端は弁体４２の回転軸４２ａに連結されている。これにより、摺動溝５８内でスライダ６０が摺動されると、アーム６４を介して回転軸４２ａが回動され、流路５４ｂ内の弁体４２が開閉される。なお、図６に示すように、スライダ６０がコイルばね６２の付勢力により摺動溝５８の下端に位置する状態では、弁体４２は図５に示す「開位置」に位置する。
【００４４】
一方、排水ソケット３８には、スライダ６０を摺動させるために第２ワイヤ５２が接続されている。図４に示すように、排水ソケット本体５４には、排水ソケット３８に接続される第２ワイヤ５２を案内するワイヤガイド６６が設けられている。ワイヤガイド６６は、所定の曲率半径に形成された曲面を側方に向けて突出するように形成した部材であり、第２ワイヤ５２は、この曲面に沿うように配索（配置）される。即ち、排水ソケット３８に接続される第２ワイヤ５２は、ワイヤガイド６６の曲面の周りを這った後、先端が排水ソケット本体５４に固定される。これにより、第２ワイヤ５２の、排水ソケット３８に接続される端部は常に所定の曲率半径に維持されるので、取り回しにより第２ワイヤ５２にキンクが生じ、第２ワイヤ５２の機能が損なわれるのを防止することができる。
【００４５】
図６に示すように、第２ワイヤ５２の、排水ソケット３８に接続される第２アウターチューブ５２ａは、摺動溝５８の端部下方に固定される。このように固定された第２アウターチューブ５２ａの先端から突出する第２インナーワイヤ５２ｂの先端は、スライダ６０に固定されている。このため、第２インナーワイヤ５２ｂが第２アウターチューブ５２ａの先端の方に引き込まれると、コイルばね６２の付勢力に抗してスライダ６０は摺動溝５８に沿って摺動し、図６における右上方向に移動される。スライダ６０が図６における右上方向に移動されると、アーム６４を介してスライダ６０に接続されている回転軸４２ａが回動され、これにより弁体４２が図２に示す「閉位置」に移動される。また、第２インナーワイヤ５２ｂを引き込む力が除去されると、スライダ６０は、コイルばね６２の付勢力により図６における左下方向に移動される。これにより、弁体４２が回動され、図５に示す「開位置」に復帰する。このように、排水ソケット３８に設けられた弁体４２は、第２ワイヤ５２の第２インナーワイヤ５２ｂに伝達された力により移動され、開閉される。
【００４６】
次に、図７を参照して、中継装置５０の構成を説明する。
図７には、中継装置５０に第１ワイヤ４８が接続されていない状態が示されており、第１ワイヤ４８を接続した状態が想像線で示されている。
図７に示すように、中継装置５０は、直方体状のケース部材である筐体６８と、筐体６８の１つの面を覆う板状の蓋６８ａと、筐体６８の内部に回転可能に配置されたプーリー７０と、筐体６８の内部に摺動可能に配置された接続部材７２と、を有する。
【００４７】
筐体６８は細長い直方体状の箱形の部材であり、その一方の端面に第１アウターチューブ４８ａ及び第２アウターチューブ５２ａの端部を夫々固定するように構成されている。また、筐体６８の内部には、筐体６８の長手方向に延びる仕切壁６８ｂが設けられており、接続部材７２は、この仕切壁６８ｂに沿って摺動可能に配置されている。さらに、筐体６８内の、第１、第２ワイヤが接続されていない方の端部には、プーリー７０が回転自在に取り付けられている。筐体６８の端面には第２アウターチューブ５２ａの先端が固定され、この先端から突出している第２インナーワイヤ５２ｂは、筐体６８内を長手方向に延びた後、プーリー７０に巻回されて方向転換される。方向転換された第２インナーワイヤ５２ｂの先端は、接続部材７２に固定される。
【００４８】
一方、第１ワイヤ４８も、第２ワイヤ５２が固定されている端面と同じ端面で筐体６８に接続される。上述したように、工場出荷時においては第１ワイヤ４８は中継装置５０に接続されておらず、水洗大便器装置１の設置現場において筐体６８の蓋６８ａを開け、図７に想像線で示すように第１ワイヤ４８を接続した後、再び蓋６８ａを取り付ける。第１ワイヤ４８を取り付ける際には、まず、第１アウターチューブ４８ａの端部を筐体６８の端面に設けられた切り欠きに係合させ、第１アウターチューブ４８ａを筐体６８に固定する。さらに、第１アウターチューブ４８ａの先端から突出している第１インナーワイヤ４８ｂの先端には係合片４８ｃが設けられており、この係合片４８ｃを接続部材７２に係合させる。これにより、第１インナーワイヤ４８ｂと第２インナーワイヤ５２ｂが接続部材７２を介して連結される。この状態で筐体６８に蓋６８ａを取り付けることにより、第１アウターチューブ４８ａと筐体６８の間の係合、及び係合片４８ｃと接続部材７２の間の係合状態が保持される。
【００４９】
このように、第１インナーワイヤ４８ｂと第２インナーワイヤ５２ｂがプーリー７０を巻回して接続されることにより、例えば、第２インナーワイヤ５２ｂが図７における右方向に引かれたとき、第１インナーワイヤ４８ｂは左方向に引かれる。従って、プーリー７０はワイヤに加えられた力を方向転換して伝達する方向転換機構として作用する。中継装置５０が方向転換機構を備えることにより、第１、第２ワイヤを、その一側に接続することができる。また、本実施形態においては、第１インナーワイヤ４８ｂと第２インナーワイヤ５２ｂが接続部材７２を介して接続されているが、第１インナーワイヤ４８ｂ又は第２インナーワイヤ５２ｂと、接続部材７２とを一体に構成することもできる。或いは、筐体６８の内部に第３のワイヤを配置しておき、その両端に第１、第２インナーワイヤを夫々接続するように本発明を構成することもできる。
【００５０】
次に、図２及び図３を参照して、本発明の実施形態による水洗大便器装置１の設置手順を説明する。
まず、トイレ室の床面Ｆに施工された排水配管４０に接続されるように、排水ソケット３８を配置し、排水ソケット３８を床面Ｆに固定する。この際、専用の位置決めシート（図示せず）を使用して、水洗大便器本体２が排水ソケット３８に接続されたとき、水洗大便器本体２の背面下部開口１０ｂ（図３）が床面Ｆ上のどの位置に配置されるかを特定しておき、背面下部開口１０ｂが位置する範囲を床面Ｆにマークしておく。次に、床面Ｆに固定された排水ソケット３８から延びる第２ワイヤ５２がマークされた背面下部開口１０ｂの範囲を通り、且つ中継装置５０がスカート部１０の外側に位置するように、仮止めテープ（図示せず）等を使用して、第２ワイヤ５２及び中継装置５０を床面Ｆに仮止めしておく。これにより、水洗大便器本体２が所定の位置に配置されたとき、第２ワイヤ５２は、背面下部開口１０ｂを通ってスカート部１０の外側に延びることとなり、第２ワイヤ５２がスカート部１０によって「踏まれる」のを防止することができる。
【００５１】
次に、排水トラップ管路２２の下流端が排水ソケット３８に接続されるように、水洗大便器本体２を床面Ｆ上に配置し、固定する。ここで、水洗大便器本体２を配置する前に、図３に想像線で示すように、水洗大便器本体２側に設けられたワイヤユニット４４から延びる第１ワイヤ４８の先端部を、仮止めテープ７４等を使用して、スカート部１０外面の適所に仮止めしておく。これにより、第１ワイヤ４８の先端部が確実に水洗大便器本体２の外側に保持されるので、後に、第１ワイヤ４８の先端を中継装置５０に容易に接続することができる。水洗大便器本体２を配置した後、第１ワイヤ４８及び第２ワイヤ５２の仮止めテープを剥がし、上述した手順で第１ワイヤ４８を中継装置５０に接続する。これにより、第１ワイヤ４８（把持部４４ｂ）に対する使用者の操作が、中継装置５０を介して第２ワイヤ５２に伝達され、排水ソケット３８の弁体４２を開閉させることができる。
【００５２】
次いで、第１ワイヤ４８を接続した中継装置５０を、スカート部１０の背面下部開口１０ｂからスカート部１０の内側に押し込み、背面下部開口１０ｂに背面の化粧カバー（図示せず）を取り付けて開口部を覆う。中継装置５０をスカート部１０の内側に押し込む際、中継装置５０に接続された第２ワイヤ５２も湾曲されることとなるが、第２ワイヤ５２はワイヤガイド６６（図４）を介して排水ソケット３８に接続されているので、中継装置５０を押し込む際に第２ワイヤ５２にキンクが生じるのを防止することができる。また、第１ワイヤ４８及び第２ワイヤ５２は、中継装置５０の一側に接続されているので、ワイヤの取り回しが容易であり、各ワイヤに無理な力をかけることなく中継装置５０をスカート部１０の内側に収納することができる。
【００５３】
本実施形態によれば、スカート部１０の外側に引き出した第１ワイヤ４８及び第２ワイヤ５２（中継装置５０）を、水洗大便器本体２の側面後部に仮止めしておくことにより、設置作業者は、水洗大便器本体２の側面で第１ワイヤ４８を中継装置５０に接続する作業を行うことができる。このため、水洗大便器装置１背面側の空間が狭いトイレ室であっても、容易に設置作業を行うことができる。これにより、スカート部１０の背面側に比較的小さな開口を設けておくだけで、水洗大便器本体２側の第１ワイヤ４８と、排水ソケット３８側の第２ワイヤ５２を設置作業の現場で連結し、力を伝達させることが可能となる。その結果、水洗大便器本体２の全周がスカート部１０により一体的に囲まれた意匠性の高いデザインを採用することが可能になる。
【００５４】
次に、本発明の実施形態による水洗大便器装置１の作用を説明する。
上述したように、本実施形態による水洗大便器装置１は、加圧ポンプ３６を使用してゼット吐水が行われるので、停電時には通常の便器洗浄を実行することができない。このため、停電時には停電対応機能を使用して便器洗浄を行う必要がある。停電対応機能を使用する場合には、使用者は、まず、水洗大便器本体２後部の背面上部開口１０ａ（図３）を覆っている化粧カバー（図示せず）を取り外してワイヤユニット４４を露出させる。次いで、使用者は、ワイヤユニット４４の把持部４４ｂに指を掛け、第１インナーワイヤ４８ｂを引く。
【００５５】
第１インナーワイヤ４８ｂが引かれると、中継装置５０（図７）の内部に延びている第１インナーワイヤ４８ｂの先端部が、第１アウターチューブ４８ａの中に引き込まれる。これに伴い、中継装置５０の中で接続部材７２を介して接続されている第２インナーワイヤ５２ｂが引かれる。第２インナーワイヤ５２ｂが引かれると、第２インナーワイヤ５２ｂの先端に固定されているスライダ６０（図６）が、コイルばね６２の付勢力に抗して、摺動溝５８に沿って斜め上方に移動される。スライダ６０が移動されると、アーム６４を介して回転軸４２ａが回動され、これにより弁体４２が「開位置」（図５）から「閉位置」（図２）に移動される。
【００５６】
第１インナーワイヤ４８ｂがワイヤユニット４４から所定量引き出されると、スイッチユニット４６は電磁弁２８（図２）に信号を送り、これを開弁させる。なお、電磁弁２８に送られる電気信号、及び電磁弁２８を開弁させる電力は、機能部８に内蔵されている非常用のバッテリ又は大容量のコンデンサ（図示せず）により供給される。電磁弁２８が開弁されると、水道の給水圧により洗浄水が供給され、この洗浄水はリム吐水口２６からボウル部２０に流入する。洗浄水が流入すると、ボウル部２０内の洗浄水は排水トラップ管路２２の屈曲部２２ｃを越えて下降管路２２ｄに流入する。ここで、排水ソケット３８内に設けられた弁体４２は使用者の操作により「閉位置」に移動されているので、下降管路２２ｄに流入した洗浄水は殆ど弁体４２の下流側へは流れず、弁体４２の上流側に留まることとなる。
【００５７】
これにより、排水トラップ管路２２内が概ね満水となると共に、ボウル部２０内の水位も、屈曲部２２ｃによって規定される溜水水位Ｌよりも高くなる。ボウル部２０内の水位が所定の水位まで上昇すると、使用者は第１インナーワイヤ４８ｂを引く力を緩める。使用者が力を緩めると、排水ソケット３８に備えられたコイルばね６２（図６）の付勢力により、第２インナーワイヤ５２ｂ及び第１インナーワイヤ４８ｂは、排水ソケット３８の方に引き戻される。同時に、スライダ６０も、コイルばね６２の付勢力により、摺動溝５８に沿って斜め下方に移動される。スライダ６０が移動されると、アーム６４を介して回転軸４２ａが回動され、これにより弁体４２が「閉位置」（図２）から「開位置」（図５）に移動される。
【００５８】
これにより、弁体４２の上流側に溜まっていた洗浄水が排水配管４０に向けて落下して、排水トラップ管路２２内に負圧が発生し、サイホン作用が起動する。サイホン作用の発生により、ボウル部２０内の洗浄水及び汚物が排水トラップ管路２２に吸引され、排水配管４０に排出される。一方、使用者が第１インナーワイヤ４８ｂを引く力を緩め、把持部４４ｂ（図３、図４）が元の位置に復帰すると、スイッチユニット４６は電磁弁２８（図２）の開弁状態を所定時間維持した後、電磁弁２８を閉弁させる。これにより、サイホン作用が発生した後も洗浄水が所定量供給されるので、ボウル部２０内の水位が元の溜水水位Ｌに復帰して、１回の便器洗浄が終了する。
【００５９】
本発明の実施形態の水洗大便器装置１によれば、水洗大便器本体２側から延びる第１ワイヤ４８と、排水ソケット３８から延びる第２ワイヤ５２が中継装置５０によって中継され、この中継装置５０は、スカート部１０に設けられた背面下部開口１０ｂ（図３）を介して水洗大便器本体２の内部に収納可能に構成されている。このため、施工時においては、第１ワイヤ４８と第２ワイヤ５２を、スカート部１０の外側で中継装置５０を介して中継し、その後、中継装置５０をスカート部１０の背面下部開口１０ｂを介して水洗大便器本体２の内部に収納すればよい。従って、スカート部１０の背面下部開口１０ｂは、中継装置５０を収納可能な大きさであれば良く、水洗大便器本体２に大きな開口を設けることなく、水洗大便器本体２側から排水ソケット３８側へワイヤを接続することができる。これにより、作業用の開口部が少ない、意匠性に優れた水洗大便器装置１を構成することが可能になる。
【００６０】
また、本実施形態の水洗大便器装置１によれば、第１ワイヤ４８及び第２ワイヤ５２が筐体６８の一側に接続される（図７）ので、第１、第２ワイヤの取り回しが容易であり、スカート部１０の背面下部開口１０ｂ（図３）を小さく形成した場合でも、第１、第２ワイヤが接続された中継装置５０を水洗大便器本体２内に収納することが可能になる。これにより、より意匠性の優れた水洗大便器装置１を提供することが可能になる。
【００６１】
さらに、本実施形態の水洗大便器装置１によれば、水洗大便器本体２背面側の目立たない位置に背面下部開口１０ｂが形成されるので、より意匠性を高めることができる。また、本実施形態によれば、第１、第２ワイヤを容易に接続することができるので、開口が背面側であっても作業性が損なわれることがない。
【００６２】
また、本実施形態の水洗大便器装置１によれば、使用者により加えられた操作力が把持部４４ｂから第１ワイヤ４８に直接伝達されるので、簡単な機構で弁体４２を移動させることができる。また、使用者の操作に基づいて自動的に電磁弁２８が作動されるので、停電時において、使用者は簡単な操作で便器洗浄を行うことができる。
【００６３】
さらに、本実施形態の水洗大便器装置１によれば、ワイヤガイド６６（図４）により第２ワイヤ５２が所定の経路で取り回されるので、第２ワイヤ５２にキンクが発生するのを抑制することができる。
【００６４】
以上、本発明の実施形態を説明したが、上述した実施形態に種々の変更を加えることができる。例えば、上述した本発明の実施形態においては、スイッチユニットが電磁弁に信号を送り、これを開閉させているが、使用者が手動で電磁弁等の給水弁を開閉するように本発明を構成しても良く、弁体が「閉位置」に移動されている状態でボウル部に洗浄水が流入されるように、任意の給水装置を採用することができる。また、上述した本発明の実施形態においては、使用者が把持部を引いて、第１インナーワイヤに直接力を加えていたが、弁体操作部として電気的なスイッチ及びモータ等を設けておき、使用者のスイッチ操作に基づいてモータ等が作動し（非常用電源で作動）、これにより第１インナーワイヤに力が加えられるように本発明を構成することもできる。
【符号の説明】
【００６５】
１    水洗大便器装置
２    水洗大便器本体
４    便座
６    便蓋
８    機能部
１０    スカート部
１０ａ  背面上部開口
１０ｂ  背面下部開口
１２    給水系機能部
１４    汚物受け面
１６    棚面
１８    リム部
２０    ボウル部
２２    排水トラップ管路
２２ａ  入口開口
２２ｂ  上昇管路
２２ｃ  屈曲部
２２ｄ  下降管路
２４    リム通水路
２６    リム吐水口
２８    電磁弁（給水装置）
３２    ゼット吐水口
３４    貯水タンク
３６    加圧ポンプ
３８    排水ソケット
４０    排水配管
４２    弁体
４２ａ  回転軸
４４    ワイヤユニット
４４ａ  ワイヤユニット本体
４４ｂ  把持部
４６    スイッチユニット
４８    第１ワイヤ
４８ａ  第１アウターチューブ
４８ｂ  第１インナーワイヤ
４８ｃ  係合片
５０    中継装置
５２    第２ワイヤ
５２ａ  第２アウターチューブ
５２ｂ  第２インナーワイヤ
５４    排水ソケット本体
５４ａ  ベース部
５４ｂ  流路
５４ｃ  流入部
５４ｄ  流出部
５６    パッキン
５８    摺動溝
６０    スライダ
６２    コイルばね
６４    アーム
６６    ワイヤガイド
６８    筐体（ケース部材）
６８ａ  蓋
７０    プーリー（方向転換機構）
７２    接続部材
７４    仮止めテープ
【図１】
0006764563.tif 000002
【図２】
0006764563.tif 000003
【図３】
0006764563.tif 000004
【図４】
0006764563.tif 000005
【図５】
0006764563.tif 000006
【図６】
0006764563.tif 000007
【図７】
0006764563.tif 000008